(57)【特許請求の範囲】
【請求項１】
運用保守センターＯＭＣはリバース・カバレッジ・テスト可能なパラメータを基地局に配置するとともに、移動送信機に同期に配置することと、
移動送信機は、配置により経度、緯度、タイム・スタンプ及び送信電力を含む信号を基地局へ送信することと、
基地局は、前記信号にキャリアされたデータが正当であるか否かを判定し、正当である場合、前記信号にキャリアされたデータを解析し、解析後の前記信号にキャリアされたデータを測定したデータと合併し計算して、パスロスとＲＳＲＰを得ることとが含まれるスムージング処理をして、算出されたパスロスと信号受信電力ＲＳＲＰをＯＭＣへ送信することと、
バックグラウンド・サーバは、ＯＭＣから送信したパスロスとＲＳＲＰを含むデータを保存することと、
ネットワーク・プランニング・ツールはバックグラウンド・サーバにおけるデータを取得してから分析をして、基地局の下り信号のカバレッジ・レベルの分布図を得ることと、を含み、
前記運用保守センターＯＭＣはリバース・カバレッジ・テスト可能なパラメータを基地局に配置するとともに、移動送信機に同期に配置することは、さらにスクランブリング・シーケンスは
【数１】
0005850440.tif 000015
を用い、その中、
【数２】
0005850440.tif 000016
はＯＭＣにより配置され、その値は移動送信機に割り当てたＧｉｄに相当することと、変調方式は直交位相シフト・キーイングＱＰＳＫを使用し、変調するコンステレーション・マッピングは正常ＵＥ業務のＱＰＳＫコンステレーション・マッピングと同様であることと、リバース・カバレッジ・テストに用いるサブフレームのＣＰタイプを拡張ＣＰと配置することと、を含む
ことを特徴とするリバース・カバレッジ・テストの方法。
【請求項２】
前記ＯＭＣがリバース・カバレッジ・テスト可能なパラメータを基地局に配置するとともに、移動送信機に同期に配置することは、
ネットワークの構築が完了される前に、移動送信機の信号を、正常のユーザ装置ＵＥ業務のない、経常的業務のサブフレームにキャリアさせることと、
基地局を、複数の移動送信機のリバース・カバレッジ・テストをサポートするように配置すると共に、伝送レートを低減させ；各々の移動送信機に、少なくとも４つのリソース・ブロックＲＢを用いて処理するようにさせ、そして、移動送信機ごとに異なる無線ネットワーク臨時フラグＲＮＴＩを配置すると同時に、スクランブリングに用いるＲＮＴＩの値を移動送信機のＧｉｄと配置することと、
拡張巡回プレフィックスＣＰを用いることと
を含むことを特徴とする請求項１に記載のリバース・カバレッジ・テストの方法。
【請求項３】
前記ＯＭＣはリバース・カバレッジ・テスト可能なパラメータを基地局に配置するとともに、移動送信機に同期に配置することは、
ネットワークの構築が完了される前に、移動送信機の信号を特別サブフレームの上りパイロット・スロットＵｐＰＴＳにキャリアし、サウンディング用のリファレンス信号ＳＲＳを経常的業務サブフレームに配置し、特別サブフレームのＵｐＰＴＳ帯域全体を移動送信機に割り当てることと、
拡張ＣＰを用いることと
を含むことを特徴とする請求項１に記載のリバース・カバレッジ・テストの方法。
【請求項４】
前記ＯＭＣはリバース・カバレッジ・テスト可能なパラメータを基地局に配置するとともに、移動送信機に同期に配置することは、さらに
ネットワークの構築が完了された時、移動送信機の信号が経常的業務のサブフレームにキャリアされた場合、媒体アクセス・コントロールＭＡＣ層は配置されたパラメータにより、リバース・カバレッジ・テストに用いる業務サブフレームにおける正常ＵＥの業務を他のサブフレームにスケジューリングして、前記リバース・カバレッジ・テストのパラメータを上り物理層へ送信し、上り物理層へ移動送信機からの信号の受信を通知することと、
移動送信機の信号が特別サブフレームのＵｐＰＴＳにキャリアされた場合、ＳＲＳを経常的業務サブフレームに割り当てることと、
を含むことを特徴とする請求項１に記載のリバース・カバレッジ・テストの方法。
【請求項５】
ＯＭＣ、移動送信機、基地局、バックグラウンド・サーバ及びネットワーク・プランニング・ツールを含むリバース・カバレッジ・テストのシステムであって、
リバース・カバレッジ・テスト可能なパラメータを基地局に配置するとともに、移動送信機に同期に配置するＯＭＣと、
配置により経度、緯度、タイム・スタンプ及び送信電力を含む信号を基地局へ送信する移動送信機と、
前記信号と測定したデータにより、データが正当であるか否かを判別することと、正当である場合、該データを解析し、それを測定したデータと合併し計算して、パスロスとＲＳＲＰを得ることとが含まれるスムージング処理をして、算出されたパスロスとＲＳＲＰをＯＭＣへ送信するデータ処理モジュールが設けられる基地局と、
ＯＭＣから送信したパスロスとＲＳＲＰを含むデータを保存するバックグラウンド・サーバと、
バックグラウンド・サーバにおけるデータを取得してから分析をして、基地局の下り信号のカバレッジ・レベルの分布図を獲得するネットワーク・プランニング・ツールと、を含み、
前記ＯＭＣにより基地局に対して配置することは、スクランブリング・シーケンスは
【数３】
0005850440.tif 000017
を用い、その中、
【数４】
0005850440.tif 000018
はＯＭＣにより配置され、その値は移動送信機に割り当てたＧｉｄに相当することと、変調方式はＱＰＳＫを使用し、変調するコンステレーション・マッピングは正常ＵＥ業務のＱＰＳＫコンステレーション・マッピングと同様であることと、リバース・カバレッジ・テストに用いるサブフレームのＣＰタイプを拡張ＣＰと配置することと、を含む
ことを特徴とするリバース・カバレッジ・テストのシステム。
【請求項６】
前記ＯＭＣが基地局に対して配置することは、
ネットワークの構築が完了される前に、移動送信機の信号を、正常のユーザ装置ＵＥ業務がない、経常的業務のサブフレームにキャリアさせることと、
基地局を、複数の移動送信機のリバース・カバレッジ・テストをサポートするように配置すると共に、伝送レートを低減させ；各々の移動送信機に、少なくとも４つのリソース・ブロックＲＢを用いて処理するようにさせ、そして、移動送信機ごとに異なる無線ネットワーク臨時フラグＲＮＴＩを配置すると同時に、スクランブリングに用いるＲＮＴＩの値を移動送信機のＧｉｄと配置することと、
拡張ＣＰを用いることと、
を含むことを特徴とする請求項５に記載のシステム。
【請求項７】
前記ＯＭＣにより基地局に対して配置することは、
ネットワークの構築が完了される前に、移動送信機の信号を特別サブフレームの上りパイロット・スロットＵｐＰＴＳにキャリアし、サウンディング用のリファレンス信号ＳＲＳを経常的業務サブフレームに配置し、特別サブフレームのＵｐＰＴＳ帯域全体を移動送信機に割り当てることと、
拡張ＣＰを用いることと
を含むことを特徴とする請求項５に記載のシステム。
【請求項８】
前記ＯＭＣが基地局に対する配置は、さらに
ネットワークの構築が完了された時、移動送信機の信号が経常的業務のサブフレームにキャリアされた場合、媒体アクセス・コントロールＭＡＣ層は配置されたパラメータにより、リバース・カバレッジ・テストに用いる業務サブフレームにおける正常ＵＥの業務を他のサブフレームに調達して、前記リバース・カバレッジ・テストのパラメータを上り物理層へ送信し、上り物理層へ移動送信機からの信号の受信を通知することと、
移動送信機の信号が特別サブフレームのＵｐＰＴＳにキャリアされた場合、ＳＲＳを経常的業務サブフレームに割り当てることと、
を含むことを特徴とする請求項５に記載のシステム。
【発明の詳細な説明】
【技術分野】
【０００１】
本発明は通信技術分野に関して、特にはリバース・カバレッジ・テスト方法およびシステムに関する。
【背景技術】
【０００２】
移動通信分野では、無線伝播過程において、マルチパスの影響、スロー減衰、ファスト減衰、ドップラ効果などに影響され、無線ネットワークを構成するための正確な伝播モデルがなかなか見つけられていなかった。従って、現地カバレッジの測定はシステム・パフォーマンスを評価するための最も重要で、最も信頼できる手段の一つとなっている。
【０００３】
通常の場合、ネットワークが構築される初期、及び正常動作間は何れも相関するカバレッジ・テストが行われる。相関のカバレッジ・テストにより、実際の環境における無線ネットワークのパフォーマンスを知り、そのネットワーク構成及び運用保守するに必要とする実際パラメータ及び経験パラメータを把握して、ネットワーク構成に真実で価値のある実際的な根拠を提供し、ネットワークの構築のために経験を積める。
【０００４】
既存のＬＴＥ（Ｌｏｎｇ  Ｔｅｒｍ  Ｅｖｏｌｕｔｉｏｎ、長期的な進化）  ＴＤＤ（Ｔｉｍｅ-Ｄｉｖｉｓｉｏｎ  Ｄｕｐｌｅｘ、時分割複信）技術において、周波数スイーパーにより信号カバレッジが測定されている。それは、マルチパス信号に対して同一周波数で測定するとき、動的範囲と感度が制限されている問題が存在しており、測定された結果が信号の本当のカバレッジ状況を正確に反映することができない。
【発明の概要】
【発明が解決しようとする課題】
【０００５】
以上を鑑みて、本発明は、テスト範囲を拡大し、感度を高めるためのリバース・カバレッジ・テストの方法およびシステムを提供することを主な目的としている。
【課題を解決するための手段】
【０００６】
本発明は、運用保守センターＯＭＣが、基地局にリバース・カバレッジ・テスト可能なパラメータを配置し、それを移動送信機に同期に配置することと、
移動送信機が、配置により経度、緯度、タイム・スタンプ及び送信電力を含む信号を基地局へ送信することと、
基地局が、前記信号と測定したデータにより、データが正当であるか否かを判別することと、正当である場合、該データを解析し、それを測定したデータと合併し計算して、パスロスとＲＳＲＰを得ることとが含まれるスムージング処理をして、算出されたパスロスと信号受信電力ＲＳＲＰをＯＭＣへ送信することと、
バックグラウンド・サーバは、ＯＭＣから送信したパスロスとＲＳＲＰを含むデータを保存することと、
ネットワーク・プランニング・ツールが、バックグラウンド・サーバにおけるデータを取得してから分析をして、基地局の下り信号のカバレッジ・レベルの分布図を得ることと、を含むリバース・カバレッジ・テスト測定方法及びシステムを提供する。
【０００７】
前記ＯＭＣがリバース・カバレッジ・テスト可能なパラメータを基地局に配置するとともに、移動送信機に同期に配置することは、
ネットワークの構築が完了される前に、移動送信機の信号を、正常のユーザ装置ＵＥ業務のない、経常的業務のサブフレームにキャリアさせることと、
基地局を、複数の移動送信機のリバース・カバレッジ・テストをサポートするように配置すると共に、伝送レートを低減させ；各々の移動送信機に、少なくとも４つのリソース・ブロックＲＢを用いて処理するようにさせ、そして、移動送信機ごとに異なる無線ネットワーク臨時フラグＲＮＴＩを配置すると同時に、スクランブリングに用いるＲＮＴＩの値を移動送信機のＧｉｄと配置することと、
拡張巡回プレフィックスＣＰを用いること
を含むことが好ましい。
【０００８】
前記ＯＭＣがリバース・カバレッジ・テスト可能なパラメータを基地局に配置するとともに、移動送信機に同期に配置することは、
ネットワークの構築が完了される前に、移動送信機の信号を特別サブフレームの上りパイロット・スロットＵｐＰＴＳにキャリアし、サウンディング用のリファレンス信号ＳＲＳを経常的業務サブフレームに配置し、特別サブフレームのＵｐＰＴＳ帯域全体を移動送信機に割り当てることと、
拡張ＣＰを用いること
を含むことが好ましい。
【０００９】
前記ＯＭＣがリバース・カバレッジ・テスト可能なパラメータを基地局に配置するとともに、移動送信機に同期に配置することは、さらに、
【００１０】
スクランブリング・シーケンスは
【数１】
0005850440.tif 000002
を用い、その中、
【数２】
0005850440.tif 000003
はＯＭＣにより配置され、その値は移動送信機に割り当てたＧｉｄに相当することと、
変調方式は直交位相シフト・キーイングＱＰＳＫを使用し、変調するコンステレーション・マッピングは正常ＵＥ業務のＱＰＳＫコンステレーション・マッピングと同様であることと、
リバース・カバレッジ・テストに用いるサブフレームのＣＰタイプを拡張ＣＰと配置することを含むことが好ましい。
【００１１】
前記ＯＭＣがリバース・カバレッジ・テスト可能なパラメータを基地局に配置するとともに、移動送信機に同期に配置することは、さらに、
ネットワークの構築が完了された時、移動送信機の信号が経常的業務のサブフレームにキャリアされた場合、媒体アクセス・コントロールＭＡＣ層は配置されたパラメータにより、リバース・カバレッジ・テストに用いる業務サブフレームにおける正常ＵＥの業務を他のサブフレームに調達して、前記リバース・カバレッジ・テストのパラメータを上り物理層へ送信し、上り物理層へ移動送信機からの信号の受信を通知することと、
移動送信機の信号が特別サブフレームのＵｐＰＴＳにキャリアされた場合、ＳＲＳを経常的業務サブフレームに割り当てること
を含むことが好ましい。
【００１２】
本発明は、ＯＭＣ、移動送信機、基地局、バックグラウンド・サーバ及びネットワーク・プランニング・ツールを含むリバース・カバレッジ・テストのシステムであって、
リバース・カバレッジ・テスト可能なパラメータを基地局に配置するとともに、移動送信機に同期に配置するＯＭＣと、
配置により経度、緯度、タイム・スタンプ及び送信電力を含む信号を基地局へ送信する移動送信機と、
前記信号と測定したデータにより、データが正当であるか否かを判別することと、正当である場合、該データを解析し、それを測定したデータと合併し計算して、パスロスとＲＳＲＰを得ることとが含まれるスムージング処理をして、算出されたパスロスとＲＳＲＰをＯＭＣへ送信するデータ処理モジュールが設けられる基地局と、
ＯＭＣから送信したパスロスとＲＳＲＰを含むデータを保存するバックグラウンド・サーバと、
バックグラウンド・サーバにおけるデータを取得してから分析をして、基地局の下り信号のカバレッジ・レベルの分布図を獲得するネットワーク・プランニング・ツールと
を含むリバース・カバレッジ・テストのシステムを提供する。
【００１３】
前記ＯＭＣが基地局に対して配置することは、
ネットワークの構築が完了される前に、移動送信機の信号を、正常のユーザ装置ＵＥ業務がない、経常的業務のサブフレームにキャリアさせることと、
基地局を、複数の移動送信機のリバース・カバレッジ・テストをサポートするように配置すると共に、伝送レートを低減させ；各々の移動送信機に、少なくとも４つのリソース・ブロックＲＢを用いて処理するようにさせ、そして、移動送信機ごとに異なる無線ネットワーク臨時フラグＲＮＴＩを配置すると同時に、スクランブリングに用いるＲＮＴＩの値を移動送信機のＧｉｄと配置することと、
拡張ＣＰを用いること
を含むことが好ましい。
【００１４】
前記ＯＭＣにより基地局に対して配置することは、
ネットワークの構築が完了される前に、移動送信機の信号を特別サブフレームの上りパイロット・スロットＵｐＰＴＳにキャリアし、サウンディング用のリファレンス信号ＳＲＳを経常的業務サブフレームに配置し、特別サブフレームのＵｐＰＴＳ帯域全体を移動送信機に割り当てることと、
拡張ＣＰを用いること
を含むことが好ましい。
【００１５】
前記ＯＭＣにより基地局に対して配置することは、さらに、
スクランブリング・シーケンスは
【数３】
0005850440.tif 000004
を用い、その中、
【数４】
0005850440.tif 000005
はＯＭＣにより配置され、その値は移動送信機に割り当てたＧｉｄに相当することと、
変調方式はＱＰＳＫを使用し、変調するコンステレーション・マッピングは正常ＵＥ業務のＱＰＳＫコンステレーション・マッピングと同様であることと、
リバース・カバレッジ・テストに用いるサブフレームのＣＰタイプを拡張ＣＰと配置すること
を含むことが好ましい。
【００１６】
前記ＯＭＣが基地局に対する配置は、さらに、
ネットワークの構築が完了された時、移動送信機の信号が経常的業務のサブフレームにキャリアされた場合、媒体アクセス・コントロールＭＡＣ層は配置されたパラメータにより、リバース・カバレッジ・テストに用いる業務サブフレームにおける正常ＵＥの業務を他のサブフレームに調達して、前記リバース・カバレッジ・テストのパラメータを上り物理層へ送信し、上り物理層へ移動送信機からの信号の受信を通知することと、
移動送信機の信号が特別サブフレームのＵｐＰＴＳにキャリアされた場合、ＳＲＳを経常的業務サブフレームに割り当てること
を含むことが好ましい。
【００１７】
本発明によるリバース・カバレッジ・テストの方法又はシステムは、バックグラウンド運用保守センターＯＭＣにより、リバース・カバレッジ・テスト可能なパラメータを基地局に配置するとともに、移動発信機に同期に配置する。そして、独立又は複数の移動発信機により配置に従い、経度、緯度、タイム・スタンプ、及び送信電力を含む信号を基地局へ送信する。よって、信号の本当のカバレッジ状況を十分に反映し、テスト範囲を拡大して、テスト感度を向上させた。
【図面の簡単な説明】
【００１８】
【図１】図１は、本発明の一実施形態に係わるリバース・カバレッジ・テストの流れを示す図である。
【図２】図２は、本発明の一実施例に係わる物理層信号の構成を示す図である。
【図３】図３は、本発明の一実施例に係わるネットワークの構築が完了される前に複数の移動発信機がリバース・カバレッジ・テストをする方法のフロチャート図である。
【図４】図４は、本発明の一実施例に係わる単一ＯＦＤＭ符号におけるパイロットとデータの多重化を示す図である。
【図５】図５は、本発明の一実施例に係わるネットワークの構築が完了される前に、独立の移動発信機がリバース・カバレッジ・テストをする方法を示すフロチャート図である。
【図６】図６は、本発明の一実施例に係わるネットワークの構築が完了された後のリバース・カバレッジ・テスト方法を示すフロチャート図である。
【図７】図７は、本発明の一実施例に係わるカバレッジのリバース・テストのシステムの構成を示す図である。
【発明を実施するための形態】
【００１９】
本発明の目的の実現、機能特徴及び利点は実施例を結合しながら、図面を参照して詳しく説明する。ここで記載する具体的な実施例は本発明を説明するものであり、本発明を限定するものではないことを理解されたい。
【００２０】
本発明において、移動送信機は、ＧＰＳ受信機や送信アンテナが設けられているＵＥ（Ｕｓｅｒ  Ｅｑｕｉｐｍｅｎｔ、ユーザ装置）であることができ、ユーザが無線ネットワークを介して通信するに供給できる。受信側はＬＴＥ ＴＤＤにおける基地局又は固定受信器である。リバース・カバレッジ・テストをする前に、移動送信機と受信側をＧＰＳを介してクロックを同期させる。以下は受信側が基地局であることを例として、本発明を詳しく説明する。
【００２１】
図１は本発明の一実施例に係わるリバース・カバレッジ・テストの方法を示すフローチャット図である。当該方法は下記のステップ１０〜５０が含まれる。
ステップ１０において、バックグラウンド運用保守センターＯＭＣは、リバース・カバレッジ・テスト可能なパラメータを、基地局に配置するとともに、移動送信機に同期に配置する。
一実施例において、ＯＭＣ（Ｏｐｅｒａｔｉｏｎｓ＆Ｍａｉｎｔｅｎａｎｃｅ  Ｃｅｎｔｅｒ、運用保守センター）は表１に示す通りにリバース・カバレッジ・テスト可能なパラメータを基地局に配置するとともに、移動送信機に同期に配置することができる。
【００２２】
【表１】
0005850440.tif 000006
【００２３】
ステップ２０において、移動送信機は、配置により経度、緯度、タイム・スタンプ及び送信電力を含む信号を基地局へ送信する。
【００２４】
上記パラメータが配置された後、移動送信機は、メモリ・カードを介してそれを自身のメモリに保存し、また、上記信号を、配置により基地局へ送信して、基地局のパスロスとＲＳＲＰ（Ｒｅｆｅｒｅｎｃｅ  Ｓｉｇｎａｌ  Ｒｅｃｅｉｖｉｎｇ  Ｐｏｗｅｒ、信号受信電力）の計算に供できる。一実施例において、一つの移動送信機でテスト経路に沿って複数の基地局へ信号を送信することもできるし、複数の移動送信機でテスト経路に沿って複数の基地局へ送信することもできる。
【００２５】
ステップ３０において、基地局は、前記信号と測定したデータによりスムージング処理をして、ＵＤＰ（Ｕｓｅｒ  Ｄａｔａｇｒａｍ  Ｐｒｏｔｏｃｏｌ、ユーザ・データ・パッケージ・プロトコル）により算出されたパスロスとＲＳＲＰをＯＭＣへ送信する。
【００２６】
前記スムージング処理は、データが正当であるか否かを判別することと、正当である場合、該データを解析し、それを上がり物理層で測定したデータと合併し、計算して、パスロスとＲＳＲＰを得ることを含まれる。パスロスとＲＳＲＰとは、信号カバレッジ・レベルを計算する重要なパラメータである。一実施例において、基地局にデータ処理モジュールを設け、受信したデータと測定したデータに対して総合的な計算をして、パスロスとＲＳＲＰを得て、さらにパスロスとＲＳＲＰを呼び出し用にバックグラウンド・サーバに一時に保存することができる。
【００２７】
ステップ４０において、バックグラウンド・サーバがＯＭＣにより送信したパスロスとＲＳＲＰを含むデータを保存する。
【００２８】
一実施例において、バックグラウンド・サーバは、ＯＭＣにより送信した各種データを保存するデータ収集装置である。
【００２９】
ステップ５０において、後続処理において、ネットワーク・プランニング・ツールはバックグラウンド・サーバにおけるデータを取得してから分析をして、基地局の下り信号のカバレッジ・レベル分布図を得て、さらに下り信号カバレッジ・レベル分布図により、ネットワークに対してネットワークプランニング分析及び処理をする。
【００３０】
本発明の実施形態において、上記ステップにより信号カバレッジ状況を反映する下り信号カバレッジ・レベル分布図が得られ、テスト範囲が拡大され、テスト感度が向上される。
【００３１】
信号カバレッジ・テストはネットワークの構築が完了する前と完了した後に分けられる。一実施例において、ネットワークの構築が完了する前に複数の移動送信機により基地局へ信号を送信し、以下の内容により基地局に対して配置することができる。
【００３２】
ネットワークの構築が完了する前に、移動送信機の信号を正常のＵＥ業務のない経常的業務のサブフレームにキャリアする。移動送信機の送信する信号が４セグメントで送信され、図２に示すように、各セグメントの信号は、８ｂｉｔの同期ヘッド、２４ｂｉｔの原始信号及び１６ｂｉｔのＣＲＣ（Ｃｙｃｌｉｃ Ｒｅｄｕｎｄａｎｃｙ Ｃｈｅｃｋ、巡回冗長検査コード）を含む。物理層が各々の無線フレームにおいて、サブフレームｊになるとき、ソース（８＋２４）ｂｉｔデータの送信、復調をして、受信側が復調された３２ビットとＣＲＣフラグを高層に報告して、高層が同期ヘッド及び同期ヘッドの最初の４つの連続フレームを含むＣＲＣフラグによって、これら４つのグループのデータを転送するか、それとも廃棄するかを決定する。
【００３３】
基地局を複数の移動送信機によるカバレッジ・リバース・テストをサポートするように配置し、各々の移動送信機が少なくとも４つのＲＢ（Ｒｅｓｏｕｒｃｅ  Ｂｌｏｃｋ、リソース・ブロック）を用いて処理を行う。各々の異なる移動送信機を区別するために、各々の移動送信機に異なるＲＮＴＩ（Ｒａｄｉｏ  Ｎｅｔｗｏｒｋ  Ｔｅｍｐｏｒａｒｙ  Ｉｄｅｎｔｉｆｉｅｒ、無線ネットワーク臨時フラグ）を配置し、且つスクランブリングに用いるＲＮＴＩの値を移動送信機のＧｉｄ（Ｇｒｏｕｐ  Ｉｄｅｎｔｉｆｉｅｒ、グループ・フラグ）と配置する。複数の移動送信機が信号を基地局へ送信する場合、基地局がＧＩｄにより区別することができる。
【００３４】
スクランブリング・シーケンスは
【数５】
0005850440.tif 000007
を用い、その中、
【数６】
0005850440.tif 000008
はＯＭＣを介して配置され、その値は移動送信機に割り当てたＧｉｄに相当する。
【００３５】
変調方式はＱＰＳＫ（Ｑｕａｄｒａｔｕｒｅ Ｐｈａｓｅ Ｓｈｉｆｔ Ｋｅｙｉｎｇ、直交位相シフト・キーイング）を用い、変調するコンステレーション・マッピングは正常ＵＥ業務のＱＰＳＫコンステレーション・マッピングと同様である。  
【００３６】
伝播距離が５ｋｍに達するために、拡張ＣＰ（Ｃｙｃｌｉｃ Ｐｒｅｆｉｘ、巡回プレフィックス）を用いる。既存の基地局の室外伝送距離は通常３〜５ｋｍであり、拡張ＣＰを用いると、伝送距離をより長くすることができる。リバース・カバレッジ・テストをするサブフレームの全ての符号がいずれも拡張ＣＰと配置されることができる。セルを何層経過しても、基地局は拡張ＣＰを採用し、ネットワーク全体において移動送信機の受信タイミングに全ての受信ユーザが同様なＣＰ方式であることを確保する。リバース・カバレッジ・テストの存在する経常サブフレームの処理は、移動送信機と基地局との間で定義されたもので、且つ基準が約束されたものである。
【００３７】
図３に示すように、複数の移動送信機によりテストをする場合、以下のステップによりリバース・カバレッジ・テストをすることができる。
【００３８】
ステップ１０１において、ＯＭＣはリバース・カバレッジ・テスト可能なパラメータを基地局に配置する（表１を参照）とともに、移動送信機に同期に配置する。
【００３９】
ステップ１０２において、ネットワークが構築された初期、リバース・カバレッジ・テストをする全てのセルの全てのサブフレームを拡張ＣＰと配置する。
【００４０】
ステップ１０３において、ＯＭＣはリバース・カバレッジ・テストのコマンドを基地局へ送信する。当該コマンドに、基地局の各モジュールの必要とするリバース・カバレッジ・テストの関連パラメータが含まれる。基地局が当該コマンドを受け取ってからコマンド及び関連パラメータをＭＡＣ（Ｍｅｄｉａ Ａｃｃｅｓｓ Ｃｏｎｔｒｏｌ、媒体アクセス・コントロール）層へ送信する。
【００４１】
ステップ１０４において、ＭＡＣ層がリバース・カバレッジ・テストのパラメータを上がり物理層へ送信し、上り物理層が移動送信機に対する測定タスクを起動して、関連データ情報を測定し、移動送信機からの上がり信号を受信することを準備する。
【００４２】
ステップ１０５において、移動送信機は配置パラメータにより上がり信号を基地局へ送信し、上がり物理層が移動送信機からの信号を受信し、データー処理モジュールに受信した信号及び測定したデータ信号を送信する。
【００４３】
ステップ１０６において、データ処理モジュールは受信した信号及び測定したデータ信号に対してスムージング処理をする。例えば、データが正当であるか否かを判定し、廃棄するか否かを決定する。正当である場合、データを解析し、測定したデータを合併し計算して、処理されたデータをＵＤＰを介してＯＭＣへ送信する。
【００４４】
ステップ１０７において、ＯＭＣはデータを処理してバックグラウンドに保存し、ネットワーク全体の全ての基地局の下りＲＳ（Ｒｅｆｅｒｅｎｃｅ Ｓｉｇｎａｌ、リファレンス信号）カバレッジ・レベル分布図を得る。後続のネットワーク・プランニング・ソフトがオフラインでバックグラウンドからデータを取得して、カバレッジ分析をすることができる。
【００４５】
一実施例において、ネットワークの構築が完了する前に、単一の移動送信機により基地局へ信号を送信することもできる。以下のように基地局に対して配置することができる。
【００４６】
ネットワークの構築が完了する前に、移動送信機の信号が特別サブフレームのＵｐＰＴＳにキャリアされ、ＳＲＳ（Ｓｏｕｎｄｉｎｇ Ｒｅｆｅｒｅｎｃｅ Ｓｉｇｎａｌ、サウンディング用のリファレンス信号）が経常的業務のサブフレームに配置され、特別サブフレームのＵｐＰＴＳ（Ｕｐｌｉｎｋ Ｐｉｌｏｔ TＴｉｍｅ  Ｓｌｏｔ、上がりパイロット・スロット）帯域の全体が移動送信機に割当られる。伝播距離が５ｋｍに達するために、拡張ＣＰを用いる。
【００４７】
単一の移動送信機に対して、その信号を特別サブフレームのＵｐＰＴＳにキャリアする。３６．２１１プロトコルにより、時間領域において、ＵｐＰＴＳが多くともＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、直交周波数分割多重化）符号を２つ占有して、１つ目のＯＦＤＭ符号に移動送信機の上がり信号をキャリアする。プロトコルにより、ＲＡＣＨ（Ｒａｎｄｏｍ Ａｃｃｅｓｓ Ｃｈａｎｎｅｌ、ランダム・アクセス・チャネル）がＵｐＰＴＳに配置される必要があり、且つＳＲＳが優先的にＵｐＰＴＳに配置される。移動送信機はランダム・アクセス過程がないため、ＳＲＳを経常的業務サブフレームに配置しておいてから、リバース・カバレッジ・テストをすることになっている。システムが正常業務をしている場合、セル再配置/構築済みセルの削除によりＳＲＳをその他の正常業務サブフレームに配置する必要があるので、正常業務が影響されてしまう。従って、当該方法はネットワークの構築された初期、又はユーザ数が少なく業務を短時間中断できる時に適用する。
【００４８】
スクランブリング・シーケンスは
【数７】
0005850440.tif 000009
を用い、その中、
【数８】
0005850440.tif 000010
はＯＭＣを介して配置され、その値は移動送信機に割り当てたＧｉｄに相当する。
【００４９】
変調方式は直交位相シフト・キーイングＱＰＳＫを用い、変調するコンステレーション・マッピングは正常ＵＥ業務のＱＰＳＫコンステレーション・マッピングと同様である。
【００５０】
ユーザ・データ信号とパイロット信号とは、割り当てられたＲＢに交差的に放置され、図４に示すように、パイロット信号が偶数サブフレームを占有し、ユーザ・データが奇数サブフレームを占有する。
【００５１】
リバース・カバレッジ・テストに用いるサブフレームのＣＰタイプを拡張ＣＰと配置する。拡張ＣＰがより遠く伝播することができる。リバース・カバレッジ・テスト可能のサブフレームの全ての符号を何れも拡張ＣＰと配置して、伝播が何層セルを経過しても、基地局が拡張ＣＰを採用して、ネットワーク全体が移動送信機の受信タイミングに全てのユーザが同様なＣＰ方式であることを確保する。リバース・カバレッジ・テスト業務の存在する経常サブフレームの処理は移動送信機と基地局との間で定義されたもので、且つ基準が約束されたものである。
【００５２】
図５に示すように、上記実施例において、単一の移動送信機でテストをする場合、具体的には以下のステップによりリバース・カバレッジ・テストをすることができる。
【００５３】
ステップＡにおいて、ＯＭＣはリバース・カバレッジ・テスト可能なパラメータ（表１を参照）を基地局に配置するとともに、移動送信機に同期に配置する。
ステップＢにおいて、ＯＭＣバックグラウンドにより、ＳＲＳをその他の正常業務サブフレームに配置し、特別サブフレームＵｐＰＴＳのＣＰタイプを拡張ＣＰと配置する。
【００５４】
ステップＣにおいて、ＯＭＣはリバース・カバレッジ・テストのコマンドを基地局へ送信する。コマンドには、基地局の各モジュールの必要とする関連パラメータが含まれる。基地局データ処理モジュールはリバース・カバレッジ・テストのコマンドを受信してから、コマンド及び関連パラメータを上がり物理層へ送信する。
【００５５】
ステップＤにおいて、上がり物理層が移動送信機に対する測定タスクを起動し、移動送信機からの上がり信号を受信することを準備する。
【００５６】
ステップＥにおいて、移動送信機は配置パラメータにより上がり信号を基地局へ送信し、上がり物理層は移動送信機からの信号を受信し、受信した信号及び測定した信号をデータ処理モジュールへ送信する。
【００５７】
ステップＦにおいて、データ処理モジュールが信号に対してスムージング処理をする。例えば、データが正当であるか否かを判別し、廃棄するか否かを決定する。正当である場合、データを解析し、測量したデータと合併し計算してから、処理されたデータをＵＤＰによりＯＭＣへ送信する。
【００５８】
ステップＧにおいて、ＯＭＣはデータを処理してバックグラウンド・サーバに保存し、ネットワーク全体の全ての基地局の下りＲＳカバレッジ・レベル分布図を得る。後続のネットワーク・プランニング・ソフトはオフラインでバックグラウンド・サーバからデータを取得し、カバレッジ分析をすることができる。
【００５９】
図６に示すように、ネットワークが構築された後、リバース・カバレッジ・テストの具体的な流れは以下のステップを含む。
【００６０】
ステップ１において、ＯＭＣはリバース・カバレッジ・テスト可能なパラメータを基地局に配置する（表１を参照）とともに、移動送信機に同期に配置する。
【００６１】
ステップ２において、ＯＭＣバックグラウンドを介して、基地局のリバース・カバレッジ・テストのサブフレームを拡張ＣＰと配置する。セルが既に拡張ＣＰと配置された場合、当該ステップを省略することができる。
【００６２】
ステップ３において、ＯＭＣはリバース・カバレッジ・テストのコマンドを基地局管理モジュールへ送信する。管理モジュールは各モジュールとのインタフェースにより、リバース・カバレッジ・テストのコマンドをＭＡＣ層へ送信する。
【００６３】
ステップ４において、ＭＡＣ層は配置パラメータにより、リバース・カバレッジ・テストのサブフレームにおける正常ＵＥの業務を他のサブフレームに調達する。
【００６４】
ステップ５において、ＭＡＣ層はリバース・カバレッジ・テストのパラメータを上がり物理層に送信し、上がり物理層が移動送信機に対する測定タスクを起動し、移動送信機からの信号を受信することを準備する。
【００６５】
ステップ６において、移動送信機は以上に記載した物理層により設計し配置された送信周期により上がり信号を基地局へ送信する。
【００６６】
ステップ７において、上がり物理層は移動送信機からの信号を受信し、受信した信号及び測定した信号をデータ処理モジュールへ送信し、データ処理モジュールはスムージング処理をする。例えば、まずデータが正当である否かを判別し、廃棄するか否かを決定する。正当である場合、データを解析し、測量したデータと合併し計算して、処理されたデータをＵＤＰによりＯＭＣへ送信する。
【００６７】
ステップ８において、ＯＭＣはデータを処理してバックグラウンド・サーバに保存し、ネットワーク全体の全ての基地局の下りＲＳカバレッジ・レベル分布図を得る。後続のネットワーク・プランニング・ソフトはオフラインでバックグラウンド・サーバからデータを取得し、カバレッジ分析をすることができる。
【００６８】
本発明は、リバース・カバレッジ・テストのシステムを提供し、当該システムにより上記方法を実現することができる。図７に示すように、当該システムはバックグラウンド運用保守センターＯＭＣ１０、移動送信機２０、基地局３０、バックグラウンド・サーバ４０及びネットワーク・プランニング・ツール５０を含む。
【００６９】
ＯＭＣ１０は、リバース・カバレッジ・テスト可能なパラメータを基地局３０に配置するとともに、移動送信機２０に同期に配置する。一実施例において、ＯＭＣ１０は表１に示す通りに基地局３０にリバース・カバレッジ・テスト可能なパラメータを配置するとともに、リバース・カバレッジ・テストをするために、それをメモリ・カードを介して移動送信機２０に同期する。
【００７０】
移動送信機２０は、配置により経度、緯度、タイム・スタンプ及び送信電力を含む信号を基地局３０へ送信する。一実施例において、単一又は複数の移動送信機２０を配置することができる。テスト経路に沿って移動し送信信号を基地局３０へ送信して、信号カバレッジ状況をテストする。
【００７１】
基地局３０は、データ処理モジュール３１が設けられ、前記信号と測定したデータによりスムージング処理をして、ＵＤＰを介して算出されたパスロスとＲＳＲＰをＯＭＣ１０へ送信する。前記スムージング処理は、データが正当であるか否かを判別して、正当である場合、該データを解析し、それを測定したデータと合併し計算して、パスロスとＲＳＲＰを得ることを含む。
【００７２】
バックグラウンド・サーバ４０は、ＯＭＣ１０により送信した、パスロスとＲＳＲＰを含むデータを保存する。一実施例において、バックグラウンド・サーバ４０はデータ処理装置であり、ＯＭＣ１０により送信した各種データを保存し、また、ソフトウェアをロードしてデータを処理することができる。
【００７３】
ネットワーク・プランニング・ツール５０は、バックグラウンド・サーバ４０におけるデータを取得し分析して、基地局３０の下り信号カバレッジ・レベル分布図を得る。ネットワーク・プランニング・ツール５０は、ネットワーク・プランニング/最適化ソフトウェアであることができ、オフラインでバックグラウンド・サーバ４０からデータを取得し分析して、基地局３０の下り信号カバレッジ・レベル分布図を得ることができる。よって、信号の強さによりネットワークを企画し、或いは最適化できる。
【００７４】
現在、信号カバレッジに対するテストは、基地局３０により信号を移動送信機２０へ送信して、それから周波数スイーパーで信号カバレッジをテストするのである。本発明は移動送信機２０により信号を基地局３０へ送信して、信号カバレッジをテストするので、リバース・カバレッジ・テストと呼ばれる。リバース・カバレッジ・テストを実現するためには、基地局３０に対してパラメータを配置し、移動送信機２０と同期させなければならない。一実施例において、ＯＭＣ１０は前記表１に示す通りに基地局３０に対して配置し、移動送信機２０は基地局３０から配置パラメータを読取ることにより、同期を実現する。
【００７５】
ネットワークの構築が完了する前に、単一又は複数の移動送信機２０により経度、緯度、タイム・スタンプ及び送信電力を含む信号を基地局３０へ送信する。例えば、一実施例において、ＯＭＣ１０は基地局３０に対する配置は以下のことを含む。
【００７６】
ネットワークの構築が完了する前に、移動送信機２０の信号を正常のＵＥ業務のない経常的業務サブフレームにキャリアする。
【００７７】
基地局３０を複数の移動送信機２０によるリバース・カバレッジ・テストをサポートするように配置し、各々の移動送信機は少なくとも４つのＲＢを用いて処理を行う。異なる移動送信機２０を区別するために、各々の移動送信機２０に異なるＲＮＴＩを配置し、且つスクランブリングに用いるＲＮＴＩの値を移動送信機２０のフラグＧｉｄと配置する。
【００７８】
スクランブリング・シーケンスは
【数９】
0005850440.tif 000011
を用い、その中、
【数１０】
0005850440.tif 000012
はＯＭＣにより配置され、その値は移動送信機に割り当てたＧｉｄに相当する。
【００７９】
変調方式は直交位相シフト・キーイングＱＰＳＫを使用し、変調するコンステレーション・マッピングは正常ＵＥ業務のＱＰＳＫコンステレーション・マッピングと同様である。
【００８０】
伝播距離が５ｋｍに達するために、拡張ＣＰを用いる。
【００８１】
本発明の実施例に係わる配置が完了した後のリバース・カバレッジ・テストの流れは前記図３に示した実施例を参照してもよいので、ここで詳しく説明しない。
【００８２】
もう一つの実施例において、ネットワークの構築が完了する前に、ＯＭＣ１０が基地局３０に対する配置は以下のことを含む。
【００８３】
ネットワークの構築が完了する前に、移動送信機２０の信号が特別サブフレームのＵｐＰＴＳにキャリアされ、サウンディング用のリファレンス信号ＳＲＳが経常的業務のサブフレームに配置され、特別サブフレームのＵｐＰＴＳの帯域全体が移動送信機２０に割当られる。伝播距離が５ｋｍに達するために、拡張ＣＰを用いる。
【００８４】
スクランブリング・シーケンスは
【数１１】
0005850440.tif 000013
を用い、その中、
【数１２】
0005850440.tif 000014
はＯＭＣを介して配置され、その値は移動送信機に割り当てたＧｉｄに相当する。
【００８５】
変調方式は直交位相シフト・キーイングＱＰＳＫを用い、変調するコンステレーション・マッピングは正常ＵＥ業務のＱＰＳＫコンステレーション・マッピングと同様である。
【００８６】
リバース・カバレッジ・テストに用いるサブフレームの巡回プレフィックスＣＰタイプを拡張ＣＰと配置する。
【００８７】
本発明の実施例に係わる配置が完了した後のリバース・カバレッジ・テストの流れは前記図５に示した実施例を参照してもよいので、ここで詳しく説明しない。
【００８８】
ネットワークの構築が完了された後、システムは前記図６に示した実施例のステップによりリバース・カバレッジ・テストをすることができるので、ここで詳しく説明しない。
【００８９】
以上は、本発明の好適な実施例に過ぎず、本発明を限定するものではない。本発明の明細書及び図面を用いた同等の構造又は同等の流れの変換、若しくは直接又は間接的に他の関連分野に用いることは、いずれも本発明の保護範囲内に含まれる。
【図１】
0005850440.tif 000019
【図２】
0005850440.tif 000020
【図３】
0005850440.tif 000021
【図４】
0005850440.tif 000022
【図５】
0005850440.tif 000023
【図６】
0005850440.tif 000024
【図７】
0005850440.tif 000025